(57)【要約】      （修正有）【課題】引き紐不要で遮光部材を所望の高さ位置に調整することができるカーテンを提供する。【解決手段】収容部２３の内部に並設した一対の枢軸２４，２５にそれぞれ中空軸３１，４１を有する互いに逆向きに回動する第１，第２プーリー３０，４０が軸支されると共に、前記第１，第２プーリーにはそれぞれ上部側のリング状紐溝３５と下部側のリング状溝４５を設け、該上部側のリング状紐溝には、終端部が互いに分離されて遮光部材を介して下部フレームに固定される双紐線からなる連結紐１６を、また前記下部側のリング状溝には、第１ばね部と第２ばね部を有するＳ字形状のばね部材５０を配設し、前記下部フレームを手動による上昇・下降操作によって遮光部材を所望位置に制御可能とした。【選択図】図２
2005226226.tif 000002
【特許請求の範囲】
【請求項１】
内部に所定間隔を持って離間させて設置した第１，第２ローラー１１，１２及び第１，第２ガイドローラー１３，１４と、前記第１、第２ローラーのいずれか一方に近接して設置した制御部材２０とを備える上部フレーム１０と、該上部フレームの下部側に配設された遮光部材１７と、該遮光部材の下縁に取付けられた下部フレーム１９とを有し、該制御部材は収容部２３が形成される取付けフレーム２１を有し、該収容部の内部に並設した一対の枢軸２４，２５にそれぞれ中空軸３１，４１を有する第１，第２プーリー３０，４０が回動可能に軸支され、前記各中空軸の両端に夫々上部リングと下部リングが設けられると共に、中段に中間リングが設けられることにより、前記各中空軸に上部側のリング状紐溝３５と下部側のリング状溝４５を設け、第１プーリーに始端が固定された単紐線をタスキ掛けに第２プーリーに巻き廻して互いに逆向きの回転運動をさせると共に、前記単紐線の終端を双紐線である連結紐１６の始端と連結し、該連結紐１６を前記第１プーリーのリング状紐溝に複数回巻廻した後、該連結紐の終端を取付けフレームを貫通して引き出し、さらに前記各ローラー及びガイドローラーを介して後、前記双紐線をそれぞれに分離して前記上部フレームの底板および前記遮光部材を貫通して下部フレームの下部に固定すると共に、前記第１プーリーと第２プーリーの下部側のリング状溝には、第１ばね部と第２ばね部を有するＳ字形状のばね部材５０が設けられ、該第１ばね部と第２ばね部の端部を各中空軸にそれぞれ固定し、前記連結紐の引き出し及び巻き戻しによる遮光部材の上昇或いは下降位置の調整制御を行うようにしたことを特徴とするカーテン。
【請求項２】
前記上部フレームに設置される第１，第２ローラー及び第１，第２ガイドローラーはコ字形状の固定フレームに設置した後、上部フレームの内部に固定され、上部フレームの内部に押圧ローラーが設けられ、上部フレームに制御部材を設置するための切欠部が形成されていることを特徴とする請求項１に記載のカーテン。
【請求項３】
前記取付けフレームは、前記上部フレームの底板に固定する固定プレートを有する側壁が設けられ、該固定プレートに形成したねじ穴を介してネジ止めによって取付けフレームを上部フレームに固定し、かつ取付けフレームにおける側壁に前記連結紐を引き出すための位置決め溝が形成されていることを特徴とする請求項１または２に記載のカーテン。
【発明の詳細な説明】
【技術分野】
【０００１】
本発明は、窓ガラスに適用されるカーテンに関し、特に上下方向の移動により伸縮自在な遮光部材を引き紐なしに所望高さ位置に調整可能としたカーテンに関するものである。
【背景技術】
【０００２】
日照の遮断或いは調節ために、窓ガラス部を覆うカーテンとしては、カーテンレールを左右方向へ移動する開閉方式のも、或いは遮光部材が上下方向に伸縮する開閉方式のものがよく知られている。前者の左右方向へ移動する開閉方式のものにあっては、手動によるもの或いは端部に垂下させた引き紐を操作して開閉移動させるものが一般的である。また後者の遮光部材が上下方向に伸縮する開閉方式のものにあっても従来のカーテンの開閉にあたっては引き紐によって遮光部材の上昇或いは下降を調整制御するようになっている。
【発明の開示】
【発明が解決しようとする課題】
【０００３】
しかるに、上記従来のカーテンは、引き紐によって遮光部材の上昇或いは下降を調節するようになっているため、引き紐の調節不良における故障時に遮光部材を上昇或いは下降させた場合、遮光部材の両端の高度が互いに異なってしまう不具合が生じる。また、カーテンに引き紐が付いている場合には、子供たちが不注意によって首に巻きつけたりして思わぬ怪我の原因となる恐れがある。
【０００４】
本発明は上記事情に鑑みてなされたものであって、上下方向の移動により伸縮自在な遮光部材を引き紐なしに所望高さ位置に調整可能としたカーテンを提供することを目的としている。
【課題を解決するための手段】
【０００５】
本願の請求項１の発明は、内部に所定間隔を持って離間させて設置した第１，第２ローラー１１，１２及び第１，第２ガイドローラー１３，１４と、前記第１、第２ローラ−のいずれか一方に近接して設置した制御部材２０とを備える上部フレーム１０と、該上部フレームの下部側に配設された遮光部材１７と、該遮光部材の下縁に取付けられた下部フレーム１９とを有し、該制御部材は収容部２３が形成される取付けフレーム２１を有し、該収容部の内部に並設した一対の枢軸２４，２５にそれぞれ中空軸３１，４１を有する第１，第２プーリー３０，４０が回動可能に軸支され、前記各中空軸の両端に夫々上部リングと下部リングが設けられると共に、中段に中間リングが設けられることにより、前記各中空軸に上部側のリング状紐溝３５と下部側のリング状溝４５を設け、第１プーリーに始端が固定された単紐線をタスキ掛けに第２プーリーに巻き廻して互いに逆向きの回転運動をさせると共に、前記単紐線の終端を双紐線である連結紐１６の始端と連結し、該連結紐１６を前記第１プーリーのリング状紐溝に複数回巻廻した後、該連結紐の終端を取付けフレームを貫通して引き出し、さらに前記各ローラー及びガイドローラーを介して後、前記双紐線をそれぞれに分離して前記上部フレームの底板および前記遮光部材を貫通して下部フレームの下部に固定すると共に、前記第１プーリーと第２プーリーの下部側のリング状溝には、第１ばね部と第２ばね部を有するＳ字形状のばね部材５０が設けられ、該第１ばね部と第２ばね部の端部を各中空軸にそれぞれ固定し、前記連結紐の引き出し及び巻き戻しによる遮光部材の上昇或いは下降位置の調整制御を行うようにしたことを特徴とする。
【０００６】
請求項２の発明は、前記請求項１に記載のカーテンにおいて、前記上部フレームに設置される第１，第２ローラー及び第１，第２ガイドローラーはコ字形状の固定フレームに設置した後、上部フレームの内部に固定され、上部フレームの内部に押圧ローラーが設けられ、上部フレームに制御部材を設置するための切欠部が形成されていることを特徴とする。
【０００７】
請求項３の発明は、請求項１または２に記載のカーテンにおいて、前記取付けフレームは、前記上部フレームの底板に固定する固定プレートを有する側壁が設けられ、該固定プレートに形成したねじ穴を介してネジ止めによって取付けフレームを上部フレームに固定し、かつ取付けフレームにおける側壁に前記連結紐を引き出すための位置決め溝が形成されていることを特徴とする。
【発明の効果】
【０００８】
本発明は上記の課題を解決するものであり、夫々上部フレーム、遮光部材と下部フレームを貫通する連結紐及び制御部材により、引き紐不要で遮光部材を所望の高さに調整可能とすることができるので非常に便利である。又、カーテンの開閉を引き紐を用いることなく上下方向への移動開閉が可能となっているので、引き紐の調節不良における遮光部材の両端の高度が互いに異なってしまうような不具合を解消できると共に、子供たちが不注意によって引き紐を首に巻きつけたりして思わぬ怪我の原因となることがない。
【発明を実施するための最良の形態】
【０００９】
以下、添付図面を参照して本発明の好適な実施の形態を詳細に説明する。
【実施例１】
【００１０】
図１は本発明に係るカーテンの第１実施例を示す斜視図であり、図２は本発明に係るカーテンの第１実施例における制御部材を示す分解斜視図であり、図３は本発明に係るカーテンの第１実施例を示す正面図であり、図４は本発明に係るカーテンの第１実施例を示す平面図であり、図５は本発明に係るカーテンの第１実施例の使用状態を示す斜視図である。
【００１１】
図１乃至図４に示すように、本発明に係るカーテンは、両側壁面の上端部を内側に折り曲げた係止部１０ａを有する上面開口の縦断面ほぼコ字状の左右方向に長い上部フレーム１０を有し、該上部フレーム１０の内部に左右に離間して設置したそれぞれの固定フレーム１０ｂに回動可能に枢着された第１ローラー１１及び第２ローラー１２と、前記第１，第２ローラー１１，１２の間に設置された第１ガイドローラー１３と及び第２ガイドローラー１４と、第２ローラー１２と第２ガイドローラー間に設置された後述の連結紐１６にテンションを与えるための押圧ローラー１５とが配設されている。
【００１２】
また上部フレーム１０の左端部近傍の後部側壁面の１部を切欠いて形成した切欠部１０ｃには、制御部材２０が取り付けられている。更に上部フレーム１０の下部には蛇腹状に折り畳まれた伸縮可能な布製の遮光部材１７が設けられ、該遮光部材１７の下縁には下部フレーム１９が取り付けられている。
【００１３】
前記制御部材２０は内部に収容部２３が形成される取付けフレーム２１を有し、収容部２３の内部に第１枢軸２４と第２枢軸２５が設けられ、第１枢軸２４と第２枢軸２５に夫々第１プーリー３０と第２プーリー４０が軸支される。
【００１４】
前記第１プーリー３０と第２プーリー４０は、それぞれ貫通孔３１１，４１１を有する中空軸３１，４１を備え、該中空軸３１，４１の両端にはそれぞれ上部リング３２，４２と、下部リング３３，４３が設けられると共に、中段に中間リング３４，４４が設けられることにより、中空軸３１，４１を上部側の紐巻付け用のリング状紐溝３５，４５と下部側のリング状溝３６，４６に区分している。
【００１５】
前記第１プーリー３０と第２プーリー４０におけるリング状紐溝３５，４５には、図２によく示されるように、単紐線１８の始端が第１プーリー３０に固定され、第２プーリー４０に対してタスキ掛けに巻廻されることで、お互いに逆向きの回転をするようになっている。そして前記単紐線１８の終端が双紐線からなる連結紐１６の始端と連結され、該連結紐１６は前記第１プーリー３０に複数回巻廻されたのち、該連結紐１６の双紐線先端は取付けフレーム２１の位置決め溝２２１より引き出され、第１ローラー１１と、第１ガイドローラー１３と、第２ガイドローラー１４に案内され、更に押圧ローラー１５によりテンションが掛けられ、第２ローラー１２で反転した後、前記双紐線からなる連結紐１６の一方の紐線は第１ガイドローラー１３を介して、また他方の紐線は第２ガイドローラー１４を介して、それぞれ図３によく見られるように前記上部フレーム１０の底板１０ｄに形成した貫通穴１０ｅ，１０ｅを通して下方へ引き出すと共に、図５によく見られるように折畳まれた遮光部材１７に形成した貫通孔１７ａを貫通させた後、下部フレーム１９を貫通させ、固定部材１６１によって下部フレーム１９の下部に固定するようになっている。
この実施例における遮光部材１７は山谷折りの蛇腹形式の折畳カーテンの布生地を用いている。
【００１６】
図２に示すように、前記第１プーリー３０と第２プーリー４０における下側のリング状溝３６，４６には第１ばね部５１と第２ばね部材５３を有するＳ字形状のばね部材５０が設けられ、該第１ばね部５１と第２ばね部５３のＳ字部末端に形成した取付孔５２，５４を介して、ばね部材５０を夫々の中空軸３１，４１にネジ止め固定している。そして、前記連結紐１６の引き出し及び巻き戻しに対する制御を行うようにしている。
【００１７】
前記上部フレーム１０に設置される第１ローラー１１、第２ローラー１２、第１ガイドローラー１３及び第２ガイドローラー１４はコ字状の固定フレームに設置した固定フレーム１０ｂに枢着されることで、上部フレーム１０の内部に固定される。
【００１８】
また、前記制御部材２０を設置するために、上部フレーム１０に切欠部１０ｃが形成され、制御部材２０の取付けフレーム２１を切欠部１０ｃを介して上部フレーム１０の内部に設置し、取付けフレーム２１の左，右側壁２２の底部にそれぞれ形成した固定プレート２２２の貫通孔を用いて上部フレーム１０の底板１０ｄにネジ止めすることにより、取付けフレーム２１を上部フレーム１０に固定している。
また、前記取付けフレーム２１の右側壁２２には前記連結紐１６を貫通する位置決め溝２２１が形成されている。
また、上部フレーム１０の内部には連結紐１６にテンションをかける押圧ローラー１５が設けられることにより、連結紐１６の安定性を向上させている。
【００１９】
次に、上記のように構成された本発明のカーテンの動作について説明する。
第１プーリーに始端が固定された単紐線をタスキ掛けに第２プーリーに巻き廻して互いに逆向きの回転運動をさせると共に、この回転運動をＳ字形状のばね部材５０によって制御できるようにし、前記単紐線の終端を双紐線である連結紐１６の始端と連結し、該連結紐１６を前記第１プーリーのリング状紐溝に複数回巻廻した後、該連結紐の終端と成る先端部を取付けフレーム２１より引き出し、第１ローラー１１と第１ガイドローラー１３の上側及び第２ガイドローラー１４の下側を経由して、反転用の第２ローラー１２の下側を通過させ、さらに第２ローラー１２から上方へ巻廻し、押圧ローラー１５の下側と第２ガイドローラー１４の上側を通過させた後、一方の紐線は第１ガイドローラー１３に巻廻した後下方へ向かって上部フレーム１０を貫通させて引き出す。
【００２０】
また、他方の紐線は、第１ローラー１１の上側を通過させた後、反転して第１ガイドローラー１３の下側を通して、第２ガイドローラー１４の下側より巻廻してその先端部を下方へ向かって上部フレーム１０を貫通させて引き出す。
そして、前記各引き出された各紐線はそれぞれ遮光部材１７と下部フレーム１９を貫通した後、固定部材１６１によって下部フレーム１９の下部に固定する。
【００２１】
また、前記制御部材２０の第１プーリー３０と第２プーリー４０間に配設したＳ字形状のばね部材５０は、第１プーリー３０と第２プーリー４０の互いの逆向きの回転に追随して第１ばね部５１と第２ばね部５３が回動し、相互の緊縛と弛み状態が生成され連結紐１６の引き上げ，繰り出しにおける下部フレーム１９の高さ調節位置の制御を行うようになっている。
【００２２】
カーテンとして使用する場合、上方に引き上げられている下部フレーム１９を手動によって下方へ引いて下降させることにより、折畳まれた遮光部材１７が展開すると共に下部フレームに固定された連結紐１６が前記第１プーリー３０より引き出される。この状態では、前記ばね部材５０の第１ばね部５１の付勢力及び連結紐１６の緊縛力により、遮光部材１７を下降させた位置に安定的に位置決めすることができる。
【００２３】
カーテンを使用しない場合、下部フレーム１９を手動により上方へ引き上げ、ばね部材５０の第１ばね部５１の付勢力及び連結紐１６の緊縛力の抵抗を解除することで、第２ばね部５３の回復（復帰）力によって連結紐１６を第１プーリー３０に捲き戻すことにより、遮光部材１７を折畳んで所望の上昇位置に保持する。
【実施例２】
【００２４】
図６は本発明に係るスパークプラグの第２実施例を示す斜視図であり、図７は本発明に係るスパークプラグの第２実施例の１部分解斜視図である。
【００２５】
図６及び図７に示すように、前記制御部材２０は下部にべネシャン・ブラインド（板すだれ）のような遮光部材１８を有する上部フレーム１０に設置されてもよく、この場合、上部フレーム１０の内部に更に回転部材６０が設けられ、該回転部材６０に遮光部材１８を貫通するバランス紐６３が設けられ、該回転部材６０は連動ロッド６１と制御ロッド６２によって制御され、該制御ロッド６２はバランス紐６３を介して遮光部材１８の遮光角度を制御する。
【００２６】
また、この実施例２のカーテンにおける取付けフレーム２１は上下平行の取付プレート２６からなり、その一側に連結紐１６を捲き廻すため押圧ロッド２７が設けられた構成が相違し、他の部材は図１乃至図５に示す実施例１と同様であるので同一部分には同一符号を付して詳細な説明は省略する。
【産業上の利用可能性】
【００２７】
本発明は上記の構造を有するので、夫々上部フレーム、遮光部材と下部フレームを貫通する連結紐及び制御部材により、引き紐不要で遮光部材を所望の高さ位置に調整することができるので、非常に便利である。又、カーテンの開閉に引き紐を必要としないので、引き紐を子供たちが不注意によって首に巻きつけたりして思わぬ怪我の原因となる恐れがない。
【図面の簡単な説明】
【００２８】
【図１】本発明に係るカーテンの第１実施例を示す斜視図である。
【図２】本発明に係るカーテンの第１実施例における制御部材を示す分解斜視図である。
【図３】本発明に係るカーテンの第１実施例を示す正面図である。
【図４】本発明に係るカーテンの第１実施例を示す平面図である。
【図５】本発明に係るカーテンの第１実施例の使用状態を示す斜視図である。
【図６】本発明に係るスパークプラグの第２実施例を示す斜視図である。
【図７】本発明に係るスパークプラグの第２実施例の１部分解斜視図である。
【符号の説明】
【００２９】
１０        上部フレーム
１１        第１ローラー
１２        第２ローラー
１３        第１ガイドローラー
１４        第２ガイドローラー
１５        押圧ローラー
１６        連結紐
１６１      固定部材
１７        遮光部材
１８        遮光部材
１９        下部フレーム
２０        制御部材
２１        取付けフレーム
２２        側壁
２２１      位置決め溝
２２２      固定プレート
２３        収容部
２４        第１枢軸
２５        第２枢軸
２６        取付けプレート
２７        押圧ロッド
３０        第１プーリー
３１        中空軸
３１１      貫通孔
３２        上部リング
３３        下部リング
３４        中間リング
３５        リング状紐溝
３６        リング状溝
４０        第２プーリー
４１        中空軸
４１１      貫通孔
４２        上部リング
４３        下部リング
４４        中間リング
４５        リング状紐溝
４６        リング状溝
５０        ばね部材
５１        第１ばね部
５２        取付孔
５３        第２ばね部
５４        取付孔
６０        回転部材
６１        連動ロッド
６２        制御ロッド
６３        バランス紐
【図１】
2005226226.tif 000003
【図２】
2005226226.tif 000004
【図３】
2005226226.tif 000005
【図４】
2005226226.tif 000006
【図５】
2005226226.tif 000007
【図６】
2005226226.tif 000008
【図７】
2005226226.tif 000009